(57)【要約】【課題】全身運動以外、多機能な運動を行い、且つマッサージ効果を備え、更に弾カを調整することによって、ユーザー自身が必要な揺れを得る多機能ステッパーを提供する。【解決手段】多機能ステッパーは、底板、弾性ゴム体、ステップ台、及びハンドルから構成され、そのうち、弾性ゴム体の底表面は底板の最上面中間箇所に固定され、最上面はステップ台の底面の中間箇所に固定される。そしてハンドルをステップ台面上に連接する。ユーザーがステップ台に立ち、弾性ゴム体両端を跨ぐと、弾性ゴム体の支え及びスーザーのコントロールによる揺れによって、平衡や波乗り効果を得る。【選択図】図４
0003097211.tif 000002
【実用新案登録請求の範囲】
【請求項１】
底板、弾性ゴム体、ステップ台、中空桿から構成される多機能ステッパーにおいて、
一定の厚みを備えた板体で、その最上面に弾性ゴム体を設置する底板と、底面を底板の最上面の中間地点に固定し、最上面はステップ台の底面の中間地点に固定し、且つ中間には貫通孔を貫設し、そこにゴム片を加えて使用する弾性ゴム体と、
弾性ゴム体の穿孔箇所に対応する蓋板を設置し、板面上には複数の貫通孔を貫設し、その板上面にマッサージ凸粒を設置するステップ台と、
底面を連接する片体があり、その片体にはステップ台上の貫通孔に挿入するビスが設置され、最上部はもち手となるハンドルが設置される中空桿から構成され、弾性ゴム体を底板とステップ台の間に固定し、足をステップ台に置き、弾性ゴム体の両端を跨ぐと、弾性ゴム体の支え及びユーザーの体の揺れの大きさによって、バランス及び波乗りのような全身運動効果を得る他に、中空桿上を握り、弾性ゴム体を伸ばしながら回して多機能な運動を行うことを特徴とする多機能ステッパー。
【請求項２】
前記弾性ゴム体は、上下端面に複数の固定片を設置し、その固定片上にはネジ孔が設置され、ネジで弾性ゴム体を底板端面の穿孔及びステップ台底面に固定することを特徴とする講求項１記載の多機能ステッパー。
【請求項３】
前記底板及びステップ台には、弾性ゴム体に対応する位置に二つの穿孔が設置され、穿孔の一側は円弧形面で、そこに弾性ゴム体の上下端に設置された固定片を挿入し、回して定位することを特徴とする請求項１記載の多機能ステッパー。
【請求項４】
前記底板及びステップ台には、弾性ゴム体に対応する一に内ネジ紋を成形し、そこに弾性ゴム体の両端のネジ歯を入れて固定することを特徴とする請求項１記載の多機能ステッパー。
【請求項５】
前記弾性ゴム体は、上下縁内層に鉄板が設置されることを特徴とする請求項１記載の多機能ステッパー。
【請求項６】
前記ステップ台は、弾性ゴム体の貫通孔に対応する位置に蓋板を設置し、ユーザーの好みによって別にゴム片を貫通孔内に設置し、蓋板を被せ、多種の選択をすることを特徴とする請求項１記載の多機能ステッパー。
【考案の詳細な説明】
【０００１】
【考案の属する技術分野】
本考案は、多機能ステッパーに関するもので、ユーザーがステップ台上及び弾性ゴム体両側に両足を置くと、体が揺れ、波乗りのような刺激を受けるものである。
【０００２】
【従来の技術】
今日、スポーツ全盛の中、運動器材もまた洪水のように街にあふれている。ステッパーについては、市場に車輪式ステッパーがある。図１に示すとおり、ステッパー板Ａ１下方の中間位置に車輪部Ａ２が固定され、ステッパー構造Ａ全体を形成している。その機能として、ユーザーはステッパー板Ａ１上に立ち、左右を平衡に保って楽しむ。しかし、片足を乗せるだけで車輪部Ａ２は滑るため、危険である。
また、図２，３に示すとおり、底台Ａ１’前端面にハンドル部品Ａ２’を固定する。その底台Ａ１’面上にステップ部品Ａ３’を設置し、そのステップ部品Ａ３’は、バネＡ３２’によって最上板Ａ３１’と底板Ａ３３’間に固定する。底板Ａ３３’と底台Ａ１’の軸台Ａ３４’箇所にはベアリングＡ３４’が設置され、最上面Ａ３１’にユーザーが立つと、最上面Ａ３１’が揺れ、平衡感覚の訓練をするのに適している。
【０００３】
【考案が解決しようとする課題】
しかしながら、この種のステッパーは、構造全体が複雑で、コストも高く、経済効果も低い他、平衡感覚を楽しむだけで、ユーザーが必要に応じて弾性を調整することもできない。
【０００４】
本考案の目的は多機能ステッパーを提案することにある。
また、本考案の別の目的は、バランス訓練による全身運動の他に多機能運動も行う多機能ステッパーを提案することにある。
更に、運動の他に、マッサージ効果を備える多機能ステッパーを提供することにある。
そして、ユーザーの調整によって、弾力を調整する多機能ステッパーを提供することにある。
【０００５】
【課題を解決するための手段】
上記課題を解決するために、本考案の請求項１記載の多機能ステッパーは、一定の厚みを備えた板体で、その最上面に弾性ゴム体を設置する底板と、底面を底板の最上面の中間地点に固定し、最上面はステップ台の底面の中間地点に固定し、且つ中間には貫通孔を貫設し、そこにゴム片を加えて使用する弾性ゴム体と、
弾性ゴム体の穿孔箇所に対応する蓋板を設置し、板面上には複数の貫通孔を貫設し、その板上面にマッサージ凸粒を設置するステップ台と、
底面を連接する片体があり、その片体にはステップ台上の貫通孔に挿入するビスが設置され、最上部はもち手となるハンドルが設置される中空桿から構成される。
そして弾性ゴム体を底板とステップ台の間に固定し、足をステップ台に置き、弾性ゴム体の両端を跨ぐと、弾性ゴム体の支え及びユーザーの体の揺れの大きさによって、バランス及び波乗りのような全身運動効果を得る他に、中空桿上を握り、弾性ゴム体を伸ばしながら回して多機能な運動を行うことを特徴とする。
【０００６】
本考案の請求項２記載の弾性ゴム体は、請求項１記載の弾性ゴム体であって、上下端面に複数の固定片を設置し、その固定片上にはネジ孔が設置され、ネジで弾性ゴム体を底板端面の穿孔及びステップ台底面に固定することを特徴とする。
【０００７】
本考案の請求項３記載の底板及びステップ台は、請求項１記載の底板及びステップ台であって、弾性ゴム体に対応する位置に二つの穿孔が設置され、穿孔の一側は円弧形面で、そこに弾性ゴム体の上下端に設置された固定片を挿入し、回して定位することを特徴とする。
【０００８】
本考案の請求項４記載の底板及びステップ台は、請求項１記載の底板及びステップ台であって、弾性ゴム体に対応する一に内ネジ紋を成形し、そこに弾性ゴム体の両端のネジ歯を入れて固定することを特徴とする。
【０００９】
本考案の請求項５記載の弾性ゴム体は、請求項１記載の弾性ゴム体であって、上下縁内層に鉄板が設置されることを特徴とする。
【００１０】
本考案の請求項６記載のステップ台は、請求項１記載のステップ台であって、弾性ゴム体の貫通孔に対応する位置に蓋板を設置し、ユーザーの好みによって別にゴム片を貫通孔内に設置し、蓋板を被せ、多種の選択をすることを特徴とする。
【００１１】
【考案の実施の形態】
以下、本考案の実施例を図面に基づいて説明する。
先ず、図４及び図５に示すとおり、本考案のステッパー１０は、主に底板１１、弾性ゴム体１２、ステップ台１３、中空桿１４等から構成され、底板１１は、一定の厚みを備えた板体で、その最上面の中間箇所に弾性ゴム体１２が設置される。
この弾性ゴム体１２は、底面が底板１１の最上面の中間箇所に固定され、且つ弾性ゴム体１２の中間には貫通孔１２１が貫設される。また弾性ゴム体１２の上下縁内層には鉄板を設置して補強する。ステップ台１３には、弾性ゴム体１２の貫通孔１２１箇所に対応する蓋板１３１が設置され、板上には複数個の貫通孔１３２が貫設される。更にその板面にはマッサージ凸粒１３３が設置される。中空桿１４は、その底面の連接箇所に片体１４１が設置され、その片体１４１にはステップ台１３の貫通孔１３２に差込む差込ビス１４２が設置され、その最上面は持ち手となるハンドル１４３が設置される。組立時、弾性ゴム体１２の上下縁面に複数の固定片１２２を設置する。更にその固定片１２２上にはネジ孔１２２１が成形され、底板１１の最上面及びステップ台１３の底面の対応する位置にそれぞれ穿孔１１１，１３４を貫設し、ネジ１２３で止める。そして弾性ゴム体１２を底板１１、ステップ台１３間に固定した後、中空桿１４のビス１４２をステップ台１３の貫通子孔１３２内に挿入すると、組立が完成する。
【００１２】
図６に示すとおり、ユーザーは両足をステップ台１３上に跨いで置く。弾性ゴム体１２両側位置の時、体が僅かに揺れ、平衡状態になる。ユーザーの体を大きく揺らすと、図７に示すとおり、ユーザーは全身をねじって波のような刺激を受け、娯楽性と全身運動効果を得る。更に図８に示すとおり、ユーザーは椅子に座り、ステップ台１３に固定された中空桿１４のハンドル１４３を握る。そして弾性ゴム体１２を伸ばしながら円運動を行い、一種の運動効果を得る。もしくは図９に示すとおり、ユーザーの臀部をステップ台１３上に置き、弾性ゴム体１２を伸ばし有がら円運動を行っても運動効果がある。
【００１３】
更に図１０に示すとおり、弾性ゴム体１２と底板１１、ステップ台１３の結合方式で、底板１１及びステップ台１３の弾性ゴム体１２の固定片が対応する箇所にそれぞれ二つの穿孔１１２，１３５を貫設し、その穿孔１１２，１３５の片側は円弧形を形成し、底に弾性ゴム体１２を合わせ、下端に設置した固定片１２４を嵌め込み、回して固定させる。別の結合方式として、図１１に示すとおり、底板１１及びステップ台１３の弾性ゴム体１２と対応する位置に内ネジ紋１１３，１３６を貫設し、弾性ゴム体１２両側のネジ歯１２５で止めて固定する。弾性ゴム体１２自身の強度を高め、且つ弾性ゴム体１２の弾力度をユーザーが選択出きるよう、図４に示すように、別にゴム片１２６を貫通孔１２１内に被せ、調整する。
【００１４】
以上の実施例の説明及び図示は、本考案の一部であって、本考案を制限するものではない。本考案の構造、装置、特徴などが近似、模倣しているものは、すべて本考案の目的及び申請範囲内とする。
【００１５】
【考案の効果】
以上説明したように、本考案の多機能ステッパーは、底板、弾性ゴム体、ステップ台、及びハンドルから構成され、そのうち、弾性ゴム体の底表面は底板の最上面の中間箇所に固定され、最上面はステップ台の底面の中間箇所に固定される。そしてハンドルをステップ台面上に連接するという特徴をもつ。それにより、全身運動以外、多機能な運動を行うのに効果的である。また、マッサージ効果を備え、且つ弾力を調整することによって、ユーザー自身が必要な揺れを得るのに効果的である。
【図面の簡単な説明】
【図１】公知のステッパー立体図である。
【図２】公知の別ステッパー立体図である。
【図３】公知のステッパー組立指示図である。
【図４】本考案に関するステッパーの構造外観図である。
【図５】本考案に関するステッパーの立体分解図である。
【図６】本考案に関するステッパーの使用状態図である。
【図７】本考案に関するステッパーの別の使用状態図である。
【図８】本考案に関するステッパーの別の使用状態図である。
【図９】本考案に関するステッパーの別の使用状態図である。
【図１０】本考案に関するステッパーの別の立体分解図である。
【図１１】本考案に関するステッパーの別の立体分解図である。
【符号の説明】
Ａ　ステッパー構造
Ａ１　ステッパー板
Ａ２　車輪部
Ａ１´　底台
Ａ２´　ハンドル部品
Ａ３´　ステップ部品
Ａ３１´　最上板
Ａ３２´　バネ
Ａ３３´　底板
Ａ３４´　ベアリング
１０　ステッパー
１１　底板
１１１　穿孔
１１２　穿孔
１１３　内ネジ紋
１１５　穿孔
１２　弾性ゴム体
１２１　貫通孔
１２２　固定片
１２２１　ネジ孔
１２３　ネジ
１２４　固定片
１２５　ネジ歯
１２６　ゴム片
１３　ステップ台
１３１　蓋体
１３２　貫通孔
１３３　マッサージ凸粒
１３４　穿孔
１３６　内ネジ紋
１４　中空桿
１４１　片体
１４２　ビス
１４３　ハンドル
【図１】
0003097211.tif 000003
【図２】
0003097211.tif 000004
【図３】
0003097211.tif 000005
【図４】
0003097211.tif 000006
【図５】
0003097211.tif 000007
【図６】
0003097211.tif 000008
【図７】
0003097211.tif 000009
【図８】
0003097211.tif 000010
【図９】
0003097211.tif 000011
【図１０】
0003097211.tif 000012
【図１１】
0003097211.tif 000013